(57)【特許請求の範囲】
【請求項１】
マイクロフォンと複数のスピーカを備えた第１の筐体と、この第１の筐体に対して開閉自在な第２の筐体とを備え、前記第２の筐体によりマイクロフォンが閉塞された閉状態とマイクロフォンが閉塞されていない開状態との少なくとも二つの形態に変形する携帯電話機であって、
前記複数のスピーカは、開状態と閉状態において前記マイクロフォンから所定距離外にある第１のスピーカ及び開状態と閉状態において前記マイクロフォンから所定距離内にある第２のスピーカを含んでいて、
形態を判断する判断手段と、
テレビ電話による通話又はハンズフリーによる通話のいずれかの通話中において前記判断手段により開状態であると判断された場合、前記第１のスピーカ及び第２のスピーカをＯＮにし、前記判断手段により閉状態であると判断された場合、前記第１のスピーカをＯＮにして前記第２のスピーカをＯＦＦにする出力制御手段と、
を備えたことを特徴とする携帯電話機。
【請求項２】
マイクロフォンと複数のスピーカを備えた第１の筐体と、この第１の筐体に対して開閉自在な第２の筐体とを備え、前記第２の筐体によりマイクロフォンが閉塞された閉状態とこの筐体によりマイクロフォンが閉塞されていない開状態との少なくとも二つの形態に変形する携帯電話機であって、
前記複数のスピーカは、開状態と閉状態において前記マイクロフォンから所定距離外にある第１のスピーカ及び開状態と閉状態において前記マイクロフォンから所定距離内にある第２のスピーカを含んでいて、
形態を判断する判断手段と、
テレビ電話による通話又はハンズフリーによる通話のいずれかの通話中において前記判断手段により開状態であると判断された場合、前記第１のスピーカ及び第２のスピーカを所定音量でＯＮにし、前記判断手段により閉状態であると判断された場合、前記第１のスピーカを所定音量でＯＮにして前記第２のスピーカを前記所定音量より小さい音量でＯＮにする出力制御手段と、
を備えたことを特徴とする携帯電話機。
【請求項３】
マイクロフォン、複数のスピーカを備え、開閉自在な筐体によりマイクロフォンが閉塞された閉状態とこの筐体によりマイクロフォンが閉塞されていない開状態との少なくとも二つの形態に変形する携帯電話機であって、
形態を判断する判断手段と、
前記判断手段により開状態であると判断された場合、前記複数のスピーカを所定音量でＯＮにし、前記判断手段により閉状態であると判断された場合、前記複数のスピーカのうちの一部のスピーカを音量を上げてＯＮにして残りのスピーカをＯＦＦにする出力制御手段と、
を備えたことを特徴とする携帯電話機。
【請求項４】
マイクロフォン、複数のスピーカを備え、開閉自在な筐体によりマイクロフォンが閉塞された閉状態とこの筐体によりマイクロフォンが閉塞されていない開状態との少なくとも二つの形態に変形する携帯電話機であって、
形態を判断する判断手段と、
前記判断手段により開状態であると判断された場合、前記複数のスピーカを所定音量でＯＮにし、前記判断手段により閉状態であると判断された場合、前記複数のスピーカのうちの一部のスピーカを音量を上げてＯＮにして残りのスピーカを音量を下げてＯＮにする出力制御手段と、
を備えたことを特徴とする携帯電話機。
【請求項５】
前記第１の筐体及び第２の筐体がスライド自在に積層されて構成され、前記マイクロフォンは前記第１の筐体に内蔵されるとともに前記第２の筐体が前記第１の筐体に対してスライドすることにより開閉することを特徴とする請求項１乃至４のいずれかに記載の携帯電話機。
【請求項６】
前記第１の筐体及び第２の筐体がヒンジ部を軸にして回転自在に結合されて構成され、前記マイクロフォンは前記第１の筐体に内蔵されるとともに前記第２の筐体が前記第１の筐体に対して回転することにより開閉することを特徴とする請求項１乃至４のいずれかに記載の携帯電話機。
【発明の詳細な説明】
【技術分野】
【０００１】
本発明は、開閉自在な筐体によりマイクロフォンが閉塞された閉状態とこの筐体によりマイクロフォンが閉塞されていない開状態との少なくとも二つの形態に変形するとともに、形態に応じてスピーカの出力制御を行うことができる携帯電話機に関する。
【背景技術】
【０００２】
近年、小型の電子機器の高機能化に伴い、携帯電話機において、例えば複数の筐体を折り畳み自在またはスライド自在に積層することにより、開閉自在に形成されるようになってきた。これにより、携帯電話機は、不使用時には閉状態でコンパクトに収納され、使用時には開状態にして機能的に使用される。しかしながら、携帯電話機が開閉自在に形成された場合、筐体に内蔵されたマイクロフォンが別の筐体に閉塞されてしまうことにより、閉状態においてスピーカから発せられた音波がマイクロフォンに取り込まれてしまうという問題があった。
【０００３】
そこで、スピーカから発せられる音波がマイクロフォンに伝わることが防止された携帯電話機が提案されている（例えば特許文献１）。この携帯電話機は、マイクロフォンを備えた本体キャビネットと、スピーカを備えた蓋体キャビネットとを開閉自在に形成された折り畳み式携帯電話機であり、蓋体キャビネットは、内側に放音孔、この放音孔を塞ぐシャッターを具備する。この携帯電話機は、開状態においてはこのシャッターを開き、閉状態においては閉じることによって、音波がマイクロフォンに伝わることを防止している。
【特許文献１】特開２００５−１４２８３４号公報
【発明の開示】
【発明が解決しようとする課題】
【０００４】
携帯電話機のマルティメディア化に伴い、筐体の複数箇所にステレオスピーカ等のスピーカーが搭載されている携帯電話機が増加している。このような携帯電話機では、筐体においてスピーカとマイクロフォンとを近くに配置せざるを得ないことが多い。このような携帯電話機においてテレビ電話やハンズフリー通話等を行う場合、スピーカからの不要な音声がマイクへ入力されてしまうため、エコーキャンセラー等を用いてこの不要な音を除去している。
【０００５】
一方、開閉機構を有する筐体（折り畳み式やスライド式、スウィーベル式等）では、筐体が閉じた状態においてマイクロフォンが筐体で閉塞される構成になっているものが多い。開閉機構を有する筐体を閉じた状態でテレビ電話やハンズフリー通話を行った場合、スピーカからの不要な音がマイクを覆う筐体に反射してしまい、開いた状態よりも大きい音量でマイクに入力されてしまう。このため、スピーカからの不要な音が除去可能なレベルを超えてしまい、通話の相手先での音質の低下や、ハウリングの発生などの問題が発生する。
【０００６】
本発明は、上記課題を鑑みなされてものであり、開閉機構を有する筐体により形成された携帯電話機において、テレビ電話やハンズフリー通話を行う際に、ハウリングの発生を防ぐとともに通話の品質を高く保つことができる携帯電話機を提供することを目的とする。
【課題を解決するための手段】
【０００７】
上記課題を解決するために、本発明に係る電子機器は、マイクロフォンと複数のスピーカを備えた第１の筐体と、この第１の筐体に対して開閉自在な第２の筐体とを備え、前記第２の筐体によりマイクロフォンが閉塞された閉状態とマイクロフォンが閉塞されていない開状態との少なくとも二つの形態に変形する携帯電話機であって、前記複数のスピーカは、開状態と閉状態において前記マイクロフォンから所定距離外にある第１のスピーカ及び開状態と閉状態において前記マイクロフォンから所定距離内にある第２のスピーカを含んでいて、形態を判断する判断手段と、テレビ電話による通話又はハンズフリーによる通話のいずれかの通話中において前記判断手段により開状態であると判断された場合、前記第１のスピーカ及び第２のスピーカをＯＮにし、前記判断手段により閉状態であると判断された場合、前記第１のスピーカをＯＮにして前記第２のスピーカをＯＦＦにする出力制御手段と、を備えたことを特徴とする。
【発明の効果】
【０００８】
本発明に係る携帯電話機によると、開閉機構を有する筐体により形成された携帯電話機において、テレビ電話やハンズフリー通話を行う際に、筐体の開閉状態に応じてスピーカ出力を制御することにより、ハウリングの発生を防ぐとともに通話の品質を高く保つことが可能になる。
【発明を実施するための最良の形態】
【０００９】
［第１実施形態］
本発明に係る携帯電話機の第１実施形態について、添付図面を参照しながら説明する。第１実施形態の携帯電話機１として、複数の筐体がスライド自在に積層されて構成される携帯電話機を例に挙げて説明する。携帯電話機１は、各々の筐体をスライドさせることにより開状態及び閉状態の少なくとも２つの状態に変形するように構成されている。
【００１０】
図１及び図２に、第１実施形態の携帯電話機の一例として説明に用いている携帯電話機１の斜視図を示す。図１（Ａ）は、携帯電話機１の開状態を示す斜視図であり、図１（Ｂ）は、携帯電話機１の閉状態を示す斜視図である。また、図２（Ａ）は、携帯電話機１の閉状態を示す正面図であり、図２（Ｂ）は、携帯電話機１の閉状態の背面図である。
【００１１】
携帯電話機１は、図１及び図２に示すように、矩形の板状の上筐体１０と、この上筐体１０とほぼ同形状をした下筐体１１とが相互に一面を覆うように積層されることにより形成されている。上筐体１０及び下筐体１１は、長手方向（図１（Ａ）のＸ方向）に相互にスライド可能なように積層されている。すなわち携帯電話機１は、上筐体１０と下筐体１１とが双方の一面のほぼ全面を覆うように重なった状態（閉状態；図１（Ｂ）に示す状態）において、上筐体１０を下筐体１１に対して長手方向にスライドさせることにより、上筐体３が下筐体２に対して長手方向にずれて重なった状態（開状態；図１（Ａ）示す状態）に変形する。
【００１２】
上筐体１０の外面（下筐体１１と対面しない面）には液晶ディスプレイ１２が設けられている。また上筐体１０の外面には、例えばカーソル位置等を上下左右に移動させるための上下左右キー等の操作キー１３、音声を出力する第１のスピーカ１４が設けられている。これらの液晶ディスプレイ１２、操作キー１３、及び第１のスピーカ１４は、携帯電話機１の開状態及び閉状態等の形態に依存せずに常に外部に露出する位置に設置されている。
【００１３】
下筐体１１には、数字を入力するための数字キー等の操作キー１３が設けられている。これらの操作キー１３は、図１（Ｂ）に示すように、携帯電話機１が閉状態の時には上筐体１０に閉塞されて外部に露出していないが、図１（Ａ）に示すように、上筐体１０を下筐体１１に対してスライドさせて携帯電話機１を開状態に変形させることにより外部に露出される。
【００１４】
また、下筐体１１にはマイクロフォン１５が備えられていて、このマイクロフォン１５Ａによって通話時やテレビ電話時のユーザの音声を集音する。マイクロフォン１５は、図１（Ｂ）に示すように、携帯電話機１が閉状態の時には上筐体１０に閉塞されて外部に露出していないが、図１（Ａ）に示すように、上筐体１０を下筐体１１に対してスライドさせて携帯電話機１を開状態に変形させることにより外部に露出される。また下筐体１１の側面にはサイドキー１３ａが設けられていて、ユーザはこれらのサイドキー１３ａを押下することにより、予め対応付けられた所定の機能を即座に起動することができる。
【００１５】
また、下筐体１１には第２のスピーカ１６が備えられるとともに、この第２のスピーカ１６よりマイクロフォン１５から近い位置に、第３のスピーカ１７が備えられている。第２のスピーカ１６、第３のスピーカ１７は、携帯電話機１の外部に向けて音波を放出する位置に設けられ、例えば下筐体１１の外面（上筐体１０と接しない面）に音波の放出口が設けられることにより、音波は携帯電話機１の外部に放出される。なお、第１のスピーカ１６及び第２のスピーカ１７は、携帯電話機１の開閉状態によらず、常に外部に露出する位置に設けられている。
【００１６】
なお、携帯電話機１において、上筐体１０及び下筐体１１を相互にスライドさせることによりマイクロフォン１５、第１のスピーカ１４が所定の位置に露出するため、ユーザが携帯電話機１を用いて音声通話を行う際の操作性が向上している。
【００１７】
次に、携帯電話機１の機能について説明する。図３は、携帯電話機１の機能ブロック図である。携帯電話機１は、図３に示すように、主制御部２０、電源回路部２１、操作入力制御部２２、表示制御部２３、記憶部２４、音声コーデック２５、変復調回路部２６、出力制御部２７、及び、筐体開閉部２８がバスによって相互に電気的に接続されて構成されている。
【００１８】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、様々な演算処理や制御処理等を行う。電源回路部１１は、ユーザによる操作キー１４を介した入力に基づいて電源のオン／オフ状態を切り替え、電源がオン状態の場合に内蔵されている電力供給源（バッテリ等）または外部に接続されている電力供給源から各部に対して電力を供給して、携帯電話機１を動作可能にする。
【００１９】
操作入力制御部２２は操作キー１３やサイドキー１３ａに対する入力インタフェースを備え、操作キー１３やサイドキー１３ａによって入力されたデータを主制御部２０に伝送する。表示制御部２３は液晶ディスプレイ１２に対する表示インタフェースを備え、主制御部２０の制御に基づいて、操作キー１３により入力された文字データやＣＣＤカメラ１６により撮像された画像データ等、様々なデータを液晶ディスプレイ１５に表示する。
【００２０】
記憶部２４は、主制御部２０が行う処理の処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等の記憶装置からなる。なお、出力制御部２７が出力制御処理を行う際に使用される処理プログラムやデータ等は、記憶部２４に記憶されているものとする。
【００２１】
携帯電話機１は、他の携帯電話機や固定電話機に対して、基地局（図示せず）を介して音声通話処理を行う。すなわち音声コーデック２５は、主制御部２０の制御に基づいて、マイクロフォン１５が集音した音声をエコーキャンセラー３１を介して取得して、この音声のアナログ信号をデジタル信号に変換し、変復調回路部２６に伝送する。変復調回路部２６は、このデジタル信号をスペクトラム拡散処理して送受信回路部３６に伝送する。送受信回路部３２は、このデジタル信号をアンテナ３３を介して基地局に送信する。
【００２２】
変復調回路部２６は、送受信回路部３２がアンテナ３３を介して基地局から受信したデジタル信号をスペクトラム逆拡散処理して音声コーデック２５に伝送し、アナログ信号に変換する。音声コーデック２５は、音声通話の際に、変復調回路部２６から取得したデジタル信号をアナログ信号に変換して、出力制御部２７に対して伝送する。
【００２３】
出力制御部２７は、音声コーデック２５から音声のアナログ信号を入力すると、第１のスピーカ１４、第２のスピーカ１６、及び第３のスピーカ１７等のスピーカに対してこの音声を出力させる。この際、出力制御部２７は、上筐体１０及び下筐体１１の開閉状態に応じて、第１のスピーカ１４、第２のスピーカ１６、及び第３のスピーカ１７に対して出力制御処理を行う。具体的には、出力制御部２７は、筐体開閉部２８から上筐体１０及び下筐体１１の開閉状態を表す開閉検出信号を受信して、この開閉検出信号に基づいて、第１のスピーカ１４、第２のスピーカ１６、及び第３のスピーカ１７に対して、スピーカの音源のＯＮ／ＯＦＦ状態を切り替えたり音量を変更したりするためのＯＮ／ＯＦＦ信号を伝送する。
【００２４】
また出力制御部２７は、第１のスピーカ１４、第２のスピーカ１６、及び第３のスピーカ１７に対して音声出力を行う際、エコーキャンセラー３１に対して、この音声出力に関するマイクロフォン１５への入力を防止するように指示を出す。なお、エコーキャンセラー３１は、第１のスピーカ１４、第２のスピーカ１６、及び第３のスピーカ１７等のスピーカからの音波が何かしらの物体（例えばユーザ等）によって反射（エコー）して、マイクロフォン１５に入力されてしまうのを防ぎ（キャンセル）、補正する装置である。
【００２５】
筐体開閉部２８は、例えば磁気センサ３４に基づいて、上筐体１０及び下筐体１１の開閉状態（形態）を検出して、その開閉状態を表す開閉検出信号を主制御部２０や出力制御部２７に伝送する。
【００２６】
ここで、携帯電話機１が開状態になっているときには、図４に示すように、上筐体１０及び下筐体１１がずれて重なっていて、マイクロフォン１５が外部に露出されている。この際、エコーキャンセラー３１により、第１のスピーカ１４、第２のスピーカ１６、または第３のスピーカ１７等のスピーカにより出力された音声が、マイクロフォン１５に入力されてしまうことが防止されている。
【００２７】
しかしながら、携帯電話機１が閉状態になっているときには、図５に示すように、下筐体１１に備えられたマイクロフォン１５が上筐体１０に閉塞されていて、マイクロフォン１５が外部に露出されていない。この際、エコーキャンセラー３１により、第１のスピーカ１４、第２のスピーカ１６、または第３のスピーカ１７等のスピーカにより出力された音声がマイクロフォン１５に入力しないように構成されているが、各機器の隙間から上筐体１０と下筐体１１との間に漏れた音波が上筐体１０または下筐体１１において反射して、マイクロフォン１５に入力してしまう恐れがある。この場合には、スピーカからの不要な音声がエコーキャンセラー３１により除去可能なレベルを超えてしまい、通話相手先での音質の低下やハウリング（スピーカからの出力の一部がマイクロフォン１５に帰還されたことにより生ずる発振現象）の発生などの問題が生じる。
【００２８】
そこで、携帯電話機１は、上筐体１０及び下筐体１１の開閉状態に応じてスピーカの出力制御を行う必要がある。図６に示すように、出力制御部２７は、音声（例えば受話信号）を第２のスピーカ１６や第３のスピーカ１７等のスピーカから出力する際、エコーキャンセラー３１に対してこの出力された音声がマイクロフォン１５に入力されてしまうことを防止するように指示を出す。これに基づいて、エコーキャンセラー３１は、マイクロフォン１５により入力された音声（例えば送話信号）を音声コーデック２５に伝送する際、スピーカから出力された音声（例えば受話信号）を除去して音声コーデック２５に伝送する。
【００２９】
この際、出力制御部２７は、音声（例えば受話信号）を第２のスピーカ１６や第３のスピーカ１７等のスピーカから出力するときに、筐体開閉部２８から携帯電話機１の開閉状態を示す開閉検出信号を取得する。そして出力制御部２７は、この開閉状態に応じて第２のスピーカ１６及び第３のスピーカ１７にＯＮ／ＯＦＦ信号を送信することにより、第２のスピーカ１６や第３のスピーカ１７等のスピーカの音源のＯＮ／ＯＦＦ状態を切り替えたり音量を変更したりする出力制御処理を行う。
【００３０】
ユーザが携帯電話機１を用いて、例えばハンズフリー機能やテレビ電話機能等を使用する際には、携帯電話機１を閉状態にして音声通話を行うことが予想される。上述のように、携帯電話機１を閉状態にしてマイクロフォン１５や第２のスピーカ１６、第３のスピーカ１７を使用する場合、携帯電話機１はスピーカの出力制御処理を行う必要が生じる。携帯電話機１がこの出力制御処理を行う手順について、図７示すフローチャートに基づいて説明する。以下、例えば「ステップＳ１０１」を「Ｓ１０１」のように、「ステップ」の語句を省略して説明する。
【００３１】
まず、出力制御部２７は、ハンズフリー機能等が起動されたか否かを判断する（Ｓ１０１）。ハンズフリー機能等が起動されていない場合（Ｓ１０１のＮｏ）は、出力制御部２７は起動が指示されるまで待機する。
【００３２】
ハンズフリー機能等が起動された場合（Ｓ１０１のＹｅｓ）は、出力制御部２７は筐体開閉部２８から、上筐体１０及び下筐体１１の開閉状態を示す開閉検出信号を送信する（Ｓ１０３）。この際、筐体開閉部２８は、例えば磁気センサ３４を用いて携帯電話機１の開閉状態を検出し、開状態である場合は開状態である旨を示す開閉検出信号を、閉状態である場合は閉状態である旨を示す開閉検出信号を、出力制御部２７に対して送信する。
【００３３】
出力制御部２７は、Ｓ１０３にて取得した開閉検出信号に基づいて、携帯電話機１が開状態であるか否かを判断する（Ｓ１０５）。携帯電話機１が開状態であった場合（Ｓ１０５のＹｅｓ）は、主制御部２０は、マイクロフォン１５をＯＮにする（Ｓ１０６）。出力制御部２７は、図８に示すように、第２のスピーカ１６に対して、音源を通常音量（所定音量）でＯＮにするためのＯＮ／ＯＦＦ信号を送信する（Ｓ１０７）。この際の通常音量は、例えば予め指定されていた所定音量やその時に設定されている音量等である。また出力制御部２７は、第２のスピーカ１６から出力された音声をマイクロフォン１５に入力された音声から除去するよう、エコーキャンセラー３１に指示をする（Ｓ１０９）。
【００３４】
そして出力制御部２７は、第３のスピーカ１７に対して、音源を通常音量（所定音量）でＯＮにするためのＯＮ／ＯＦＦ信号を送信する（Ｓ１１１）。この際の通常音量は、Ｓ１０７の処理時と同様に、例えば予め指定されていた所定音量やその時に設定されている音量等である。また出力制御部２７は、第３のスピーカ１７から出力された音声をマイクロフォン１５に入力された音声から除去するよう、エコーキャンセラー３１に指示をする（Ｓ１１３）。
【００３５】
このように出力制御部２７は、携帯電話機１が開状態であった場合には、マイクロフォン１５にから遠い位置にある第２のスピーカ１６、及びマイクロフォン１５から近い位置にある第３のスピーカ１７をともに通常音量でＯＮにする。
【００３６】
一方、携帯電話機１が閉状態であった場合（Ｓ１０５のＹｅｓ）は、主制御部２０は、マイクロフォン１５をＯＮにする（Ｓ１１６）。出力制御部２７は、図９に示すように、第２のスピーカ１６に対して、音源を通常音量でＯＮにするためのＯＮ／ＯＦＦ信号、または大音量でＯＮにするためのＯＮ／ＯＦＦ信号を送信する（Ｓ１１７）。この際の通常音量は、Ｓ１０７の処理時と同様に、例えば予め指定されていた所定音量やその時に設定されている音量等であり、この際の大音量は、通常音量（Ｓ１０７にて設定されている音量）よりも大きい音量である。大音量でＯＮにする際には、予め指定されていた音量（通常音量よりも大きい音量）に設定してＯＮにしたり、その時に設定されていた音量から音量を上げた状態でＯＮにしたりする。また出力制御部２７は、第２のスピーカ１６から出力された音声をマイクロフォン１５に入力された音声から除去するよう、エコーキャンセラー３１に指示をする（Ｓ１１９）。
【００３７】
そして出力制御部２７は、マイクロフォン１５に近い側にあるスピーカである第３のスピーカ１７に対して、音源を小音量でＯＮにするためのＯＮ／ＯＦＦ信号、あるいは第３のスピーカ１７の音源をＯＦＦにするためのＯＮ／ＯＦＦ信号を送信する（Ｓ１２１）。この際の通常音量は、Ｓ１１１の処理時と同様に、例えば予め指定されていた所定音量やその時に設定されている音量等であり、この際の小音量は、通常音量（Ｓ１１１にて設定されている音量）よりも小さい音量であれば良い。小音量でＯＮにする際には、予め指定されていた音量（通常音量よりも小さい音量）に設定してＯＮにしたり、その時に設定されていた音量から音量を下げた状態でＯＮにしたりする。また出力制御部２７は、第３のスピーカ１７から出力された音声をマイクロフォン１５に入力された音声から除去するよう、エコーキャンセラー３１に指示をする（Ｓ１２３）。主制御部２０は、マイクロフォン１５をＯＮにする（Ｓ１２５）。
【００３８】
このように出力制御部２７は、携帯電話機１が閉状態であった場合には、マイクロフォン１５から遠い位置にある第２のスピーカ１６の音源を通常音量でＯＮにしたり音量を大きくしたりするとともに、マイクロフォン１５から近い位置にある第３のスピーカの音源をＯＦＦにしたり音量を小さくしたりする。
【００３９】
すなわち、出力制御部は、第２のスピーカ１６及び第３のスピーカ１７の音源のＯＮ／ＯＦＦ状態を切り替えたり音量を調整したりすることにより、例えば携帯電話機１を閉状態にしてハンズフリー通話を行う場合であっても、出力音量をエコーキャンセラー３１により除去可能なレベルに調整する。
【００４０】
本発明に係る携帯電話機１の第１実施形態によると、開閉機構を有する筐体により形成された携帯電話機において、テレビ電話やハンズフリー通話を行う際に、筐体の開閉状態に応じてスピーカ出力を制御することにより、従来の課題であったハウリングの発生を防ぐとともに通話の品質を高く保つことが可能になる。
【００４１】
［第２実施形態］
本発明に係る携帯電話機の第２実施形態について、図１０を参照しながら説明する。なお、第１実施形態と同一の構成には同一の符号を付し、重複する説明を省略する。第２実施形態の携帯電話機１Ａは、複数の筐体が回転自在に積層された携帯電話機である。携帯電話機１は、各々の筐体を相互に回転させることにより開状態及び閉状態の少なくとも２つの状態に変形するように構成されている。図１０（Ａ）に携帯電話機１Ａの開状態の斜視図、図１０（Ｂ）に携帯電話機１Ａの閉状態の斜視図を示す。
【００４２】
携帯電話機１Ａは、図１０（Ａ）及び図１０（Ｂ）に示すように、矩形の板状の上筐体１０Ａと、この上筐体１０Ａとほぼ同形状をした下筐体１１Ａとが相互に一面を覆うように積層されることにより形成されている。上筐体１０Ａと下筐体１１Ａとはヒンジ部１８を挟むようにヒンジ結合されており、上筐体１０Ａが下筐体１１Ａに対してヒンジ部１８を軸にして図１０（Ａ）のＹ方向に一定角度だけ回転自在なように形成されている。携帯電話機１Ａの内部の所定の位置には、送受信用のアンテナ３３が内蔵されており、携帯電話機１は、このアンテナ３３を介して基地局（図示せず）との間で電波の送受信を行う。
【００４３】
上筐体１０Ａの内面（下筐体１１Ａと対面する面）には、液晶ディスプレイ１２Ａが設けられている。また、上筐体１０Ａの内面の所定の位置には第１のスピーカ１４Ａが設けられており、これにより、ユーザが音声を聞くことが可能となる。液晶ディスプレイ１２Ａ、第１のスピーカ１４Ａは、図１０（Ｂ）に示すように、携帯電話機１Ａが閉状態の時には上筐体１０Ａに閉塞されて外部に露出していないが、図１０（Ａ）に示すように、上筐体１０Ａを下筐体１１Ａに対してヒンジ部１８を軸にして回転させて携帯電話機１Ａを開状態に変形させることにより外部に露出するように構成されている。
【００４４】
下筐体１１Ａには、カーソル位置等を上下左右方向に移動させるための上下左右キー、その表面に数字や文字列を入力するための「０」乃至「９」の数字キー、発呼処理を行うための発呼キー、通話を終了したり電源のＯＮ／ＯＦＦを切り替えたりするための終話・電源キー、入力された文字列を消去したり実行中の処理を終了したりするためのクリアキー等の操作キー１３が設けられており、ユーザはこれらの操作キー１３を用いて携帯電話機１Ａに対して各種指示を入力することができる。操作キー１３Ａは、図１０（Ｂ）に示すように、携帯電話機１Ａが閉状態の時には上筐体１０Ａに閉塞されて外部に露出していないが、図１０（Ａ）に示すように、上筐体１０Ａを下筐体１１Ａに対してヒンジ部１８を軸にして回転させて携帯電話機１Ａを開状態に変形させることにより外部に露出される。
【００４５】
また、下筐体１１Ａには、マイクロフォン１５Ａが設けられており、このマイクロフォン１５Ａによって通話時やテレビ電話時のユーザの音声を集音する。このマイクロフォン１５Ａは、図１０（Ｂ）に示すように、携帯電話機１Ａが閉状態の時には上筐体１０Ａに閉塞されて外部に露出していないが、図１０（Ａ）に示すように、上筐体１０Ａを下筐体１１Ａに対してヒンジ部１８を軸にして回転させて携帯電話機１Ａを開状態に変形させることにより外部に露出される。また下筐体１１Ａの側面にはサイドキー１３ｂが設けられていて、ユーザはこれらのサイドキー１３ｂを押下することにより、予め対応付けられた所定の機能を即座に起動することができる。
【００４６】
また、下筐体１１Ａには第２のスピーカ１６Ａ、第３のスピーカ１７Ａが備えられている。第２のスピーカ１６Ａ、第３のスピーカは１７Ａ、携帯電話機１Ａの外部に向けて音波を放出する位置に設けられ、例えば下筐体１１Ａの外面（上筐体１０Ａと接しない面）に放出口が設けられ、音波が携帯電話機１の外部に放出されるように構成されている。なお、第１のスピーカ１６Ａ及び第２のスピーカ１７Ａは、携帯電話機１の開閉状態によらず、常に外部に露出する位置に設けられている。
【００４７】
携帯電話機１Ａにおいて、上筐体１０Ａ及び下筐体１１Ａをヒンジ部１８を軸として回転させることにより第１のスピーカ１４Ａ、マイクロフォン１５Ａが所定の位置に露出するため、ユーザが携帯電話機１を用いて音声通話を行う際の操作性が向上している。
【００４８】
第１実施形態と同様に、携帯電話機１Ａが開状態になっているときには、マイクロフォン１５Ａが外部に露出されている。この際、エコーキャンセラー３１により、第１のスピーカ１４Ａ、第２のスピーカ１６Ａ、または第３のスピーカ１７Ａにより出力された音声がマイクロフォン１５Ａに入力されてしまうことが防止されている。
【００４９】
しかしながら、携帯電話機１Ａが閉状態になっているときには、下筐体１１Ａに備えられたマイクロフォン１５Ａが上筐体１０によって閉塞されているため、マイクロフォン１５Ａが外部に露出されていない。この際、エコーキャンセラー３１により、第１のスピーカ１４Ａ、第２のスピーカ１６Ａ、または第３のスピーカ１７Ａにより出力された音声がマイクロフォン１５Ａに入力されないように構成されているが、各機器の隙間から上筐体１０Ａと下筐体１１Ａとの間に漏れた音波が、上筐体１０Ａまたは下筐体１１Ａで反射して、マイクロフォン１５Ａに入力されてしまう恐れがある。この場合には、スピーカからの不要な音声がエコーキャンセラー３１により除去可能なレベルを超えてしまい、通話相手先での音質の低下やハウリングの発生などの問題が生じる。
【００５０】
そこで携帯電話機１Ａは、第１実施形態の携帯電話機１と同様に、例えばハンズフリー機能やテレビ電話機能等を使用する際、スピーカの出力制御処理を行う。この出力制御処理については、第１実施形態において図７に示すフローチャートに基づいて説明した処理と同様であるため、説明を省略する。
【００５１】
また携帯電話機１Ａは、第１実施形態の携帯電話機１と同様に、図３に示すような機能を備えているものとする。すなわち、携帯電話機１Ａは、図３に示すように、主制御部２０、電源回路部２１、操作入力制御部２２、表示制御部２３、記憶部２４、音声コーデック２５、変復調回路部２６、出力制御部２７、及び、筐体開閉部２８がバスによって相互に電気的に接続されて構成されている。
【００５２】
本発明に係る携帯電話機１Ａの第２実施形態によると、第１実施形態と同様に、開閉機構を有する筐体により形成された携帯電話機において、テレビ電話やハンズフリー通話を行う際に、筐体の開閉状態に応じてスピーカ出力を制御することにより、従来の課題であったハウリングの発生を防ぐとともに通話の品質を高く保つことが可能になる。
【００５３】
なお、第１実施形態及び第２実施形態において、複数の筐体がスライド自在に積層された携帯電話機１、複数の筐体が回転自在に積層された携帯電話機１Ａについて説明したが、これに限定されず、開閉機構を有する筐体を備えていれば、例えばスウィーベル式等、任意に構成された携帯電話機であって構わない。
【００５４】
また、本発明の説明として、携帯電話機１、１Ａについて説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等、任意の情報処理装置であって構わない。
【図面の簡単な説明】
【００５５】
【図１】（Ａ）は本発明に係る携帯電話機の第１実施形態の開状態を示す斜視図、（Ｂ）は本発明に係る携帯電話機の第１実施形態の閉状態を示す斜視図。
【図２】（Ａ）は本発明に係る携帯電話機の第１実施形態の閉状態を示す正面図、（Ｂ）は本発明に係る携帯電話機の第１実施形態の閉状態を示す背面図。
【図３】本発明に係る携帯電話機の機能ブロック図。
【図４】本発明に係る携帯電話機の開状態における出力制御処理について説明するための図。
【図５】本発明に係る携帯電話機の閉じた状態における出力制御処理について説明するための図。
【図６】本発明に係る携帯電話機における出力制御処理について説明するための図。
【図７】本発明に係る携帯電話機において出力制御処理を行う際の手順を示すフローチャート。
【図８】本発明に係る携帯電話機の開状態において、出力制御処理を行う際のスピーカやマイクロフォンの動作を示す図。
【図９】本発明に係る携帯電話機の閉状態において、出力制御処理を行う際のスピーカやマイクロフォンの動作を示す図。
【図１０】（Ａ）は本発明に係る携帯電話機の第２実施形態の開状態を示す斜視図、（Ｂ）は本発明に係る携帯電話機の第２実施形態の閉状態を示す斜視図。
【符号の説明】
【００５６】
１…携帯電話機，１０、１０Ａ…上筐体，１１、１１Ａ…下筐体，１２、１２Ａ…液晶ディスプレイ，１３、１３Ａ…操作キー，１３ａ、１３ｂ…サイドキー，１４、１４Ａ…第１のスピーカ，１５、１５Ａ…マイクロフォン，１６、１６Ａ…第２のスピーカ，１７１７、Ａ…第３のスピーカ，２０…主制御部，２１…電源回路部，２２…操作入力制御部，２３…表示制御部，２４…記憶部，２５…音声コーデック，２６…変復調回路部，２７…出力制御部，２８…筐体開閉部，３２…送受信回路部，３３…アンテナ。
【図１】
0004568798.tif 000002
【図２】
0004568798.tif 000003
【図３】
0004568798.tif 000004
【図４】
0004568798.tif 000005
【図５】
0004568798.tif 000006
【図６】
0004568798.tif 000007
【図７】
0004568798.tif 000008
【図８】
0004568798.tif 000009
【図９】
0004568798.tif 000010
【図１０】
0004568798.tif 000011